(57)【要約】【課題】煩わしくなく容易にかつ指向性を気にすることなく表示内容の設定・変更を行うことができるような表示装置を提供する。【解決手段】表示装置１０は、表示データを外部の送受信手段３０との間で無線で送受信する無指向性の無線送受信部１３と、複数の発光素子を有し前記無線送受信部１３にて受信された表示データを表示する表示部１１と、を備えている。表示装置１０は、前記無線送受信部１３にて受信された表示データを格納するメモリ部１４を更に備えている。【選択図】      図１
2004246285.tif 000002
【特許請求の範囲】
【請求項１】
表示データを外部の送受信手段との間で無線で送受信する無指向性の無線送受信部と、
複数の発光素子を有し前記無線送受信部にて受信された表示データを表示する表示部と、
を備えたことを特徴とする表示装置。
【請求項２】
前記無線送受信部にて受信された表示データを格納するメモリ部を更に備えたことを特徴とする請求項１に記載の表示装置。
【請求項３】
前記無線送受信部は表示データを前記外部の送受信手段との間でブルートゥースで送受信することを特徴とする請求項１または２に記載の表示装置。
【発明の詳細な説明】
【０００１】
【発明の属する技術分野】
本発明は、複数の発光素子を備えた表示装置に関する。
【０００２】
【従来の技術】
従来、街角や商店街の店先には、店の情報等を表示するための複数の発光素子（例えば、ＬＥＤ（Ｌｉｇｈｔ  Ｅｍｉｔｔｉｎｇ  Ｄｉｏｄｅ））を有する表示部を備えた種々の表示装置が設置されている。
【０００３】
図４は、従来の表示装置の一例を示すブロック図である。図４において、表示装置１００は、複数のＬＥＤ等の発光素子を有し表示データを表示する表示部１０１と、表示内容の設定・変更及び内部制御を行う制御部１０２と、赤外線リモコン２００からの信号を受信するリモコン信号受信部１０３と、データ保存用カードであるメモリカード３００から表示データを読み込むためのカードインターフェース部１０４と、制御部１０２が動作するためのプログラムが格納されかつ表示データが格納されるメモリ部１０５とを備えている。なお、制御部１０２、カードインターフェース部１０４、メモリ部１０５は、データバス１０６を介して相互に接続されている。
【０００４】
このような従来の表示装置１００においては、表示部１０１における表示内容の設定・変更は、パーソナルコンピュータ（図示せず）により作成された表示データをメモリカード３００に書き込み、該表示データをカードインターフェース部１０４を介して制御部１０２にて読み込むことにより、行われるようになっている。また、メモリカード３００には、複数の表示データが書き込み可能であり、ユーザーが赤外線リモコン２００を操作することにより制御部１０２に選択的に読み込ませることができる。
【０００５】
なお、例えば、特許文献１には、リモコンを用いて表示データの切り替えを行う表示装置が開示されている。また、特許文献２には、メモリカードを用い該メモリカードから表示データを読み出して表示する表示装置が開示されている。
【０００６】
【特許文献１】
特開昭６３−３０６４８９号公報
【特許文献２】
特開２００２−１６２９３６号公報
【０００７】
【発明が解決しようとする課題】
しかしながら、上述したような従来の表示装置１００では、作成した表示データを一旦メモリカード３００に書き込んだ後、該メモリカード３００を表示装置１００本体にセットして制御部１０２に読み込ませる必要があり、ユーザーにとって煩わしいという問題があった。また、表示装置１００が電信柱等の通常人の手の届かない場所に設置されているような場合には、メモリカード３００を表示装置１００本体に容易にセットすることができず、表示内容の変更が非常に困難であるという問題があった。
【０００８】
更に、メモリカード３００に書き込まれた複数の表示データから所望の表示データを選択するのにユーザーが赤外線リモコン２００を操作する際、その指向性から表示装置１００の前面に向けて該赤外線リモコン２００を操作しなければならないという問題があった。
【０００９】
そこで、本発明は、このような実情に鑑みてなされたものであり、煩わしくなく容易にかつ指向性を気にすることなく表示内容の設定・変更を行うことができるような表示装置を提供することを目的とする。
【００１０】
【課題を解決するための手段】
請求項１に係る発明の表示装置は、表示データを外部の送受信手段との間で無線で送受信する無指向性の無線送受信部と、複数の発光素子を有し前記無線送受信部にて受信された表示データを表示する表示部と、を備えたことを特徴とする。
【００１１】
この構成によれば、表示データを外部の送受信手段との間で無線で送受信する無指向性の無線送受信部を備えており、メモリカードを介さずに表示データを無線でやり取りすることができるため、煩わしくなく容易にかつ指向性を気にすることなく表示内容の設定・変更を行うことができる。
【００１２】
請求項２に係る発明の表示装置は、請求項１に係る発明の表示装置において、前記無線送受信部にて受信された表示データを格納するメモリ部を更に備えたことを特徴とする。
【００１３】
この構成によれば、無線送受信部にて受信された表示データを格納するメモリ部を備えており、複数の表示データを選択可能に格納しておくことができる。
【００１４】
請求項３に係る発明の表示装置は、請求項１または２に係る発明の表示装置において、前記無線送受信部は表示データを前記外部の送受信手段との間でブルートゥースで送受信することを特徴とする。
【００１５】
この構成によれば、表示データを外部の送受信手段との間でブルートゥースで送受信する無指向性の無線送受信部を備えており、メモリカードを介さずに表示データをブルートゥースでやり取りすることができるため、煩わしくなく容易にかつ指向性を気にすることなく表示内容の設定・変更を行うことができる。
【００１６】
【発明の実施の形態】
以下、本発明の実施の形態について図面を参照しながら詳細に説明する。
【００１７】
図１は、本発明の実施の形態に係る表示装置を示すブロック図である。図１において、本実施の形態に係る表示装置１０は、複数のＬＥＤ等の発光素子を有し後述する無線送受信部１３にて受信された表示データを表示する表示部１１と、表示部１１における表示内容の設定・変更及び内部制御を行う制御部１２と、表示データ等を外部の送受信手段であるパーソナルコンピュータ２０に接続された送受信ユニット３０との間で無線（本実施の形態では、ブルートゥース）で送受信する無指向性の無線送受信部１３と、制御部１２が動作するためのプログラムが格納されかつ表示データが格納されるメモリ部１４とを備えている。なお、送受信ユニット３０にはアンテナ３０Ａが接続されており、無線送受信部１３にはアンテナ１３Ａが接続されている。また、制御部１２、無線送受信部１３、メモリ部１４は、データバス１５を介して相互に接続されている。
【００１８】
次に、本実施の形態に係る表示装置１０の動作について図２を参照しながら説明する。図２において、まず、制御部１２が、無線送受信部１３にてデータが受信されたか否かを判定する（ステップＳ１）。このステップＳ１での判定の結果、受信データが存在する場合、該受信データがコマンドであるか否かを判定する（ステップＳ２）。このステップＳ２での判定の結果、受信データがコマンドである場合、該コマンドが新規の表示データを設定するための設定コマンドであるか否かを判定する（ステップＳ３）。このステップＳ３での判定の結果、コマンドが新規の表示データを設定するための設定コマンドである場合、表示データを受信し（ステップＳ４）、表示部１１における表示内容を変更する（ステップＳ５）。一方、ステップＳ３での判定の結果、コマンドが新規の表示データを設定するための設定コマンドでない場合には、表示部１１における現在表示中の表示内容のデータ（表示データ）を無線送受信部１３を介してパーソナルコンピュータ２０に接続された送受信ユニット３０に送信する（ステップＳ６）。
【００１９】
上述したような本実施の形態に係る表示装置１０によれば、表示データをパーソナルコンピュータ２０に接続された送受信ユニット３０との間で無線で送受信する無指向性の無線送受信部１３を備えており、メモリカードを介さずに表示データを無線でやり取りすることができるため、煩わしくなく容易にかつ指向性を気にすることなく表示内容の設定・変更を行うことができる。例えば、図３に示すように、ユーザーは、屋内に居ながらにしてパーソナルコンピュータ２０で屋外に設置された表示装置１０の表示内容を確認することができるとともに、該表示内容を変更することもできる。
【００２０】
なお、上述した実施の形態では、外部の送受信手段としてパーソナルコンピュータ２０に接続された送受信ユニット３０を用いていたが、これに限られるものではなく、例えば、液晶等の表示部を備え表示データを無線送受信部１３との間で無線で送受信する無指向性のリモコンを用いるようにしてもよい。
【００２１】
【発明の効果】
以上説明したように、本発明の表示装置によれば、表示データを外部の送受信手段との間で無線で送受信する無指向性の無線送受信部を備えており、メモリカードを介さずに表示データを無線でやり取りすることができるため、煩わしくなく容易にかつ指向性を気にすることなく表示内容の設定・変更を行うことができる。
【図面の簡単な説明】
【図１】本発明の実施の形態に係る表示装置を示すブロック図である。
【図２】本発明の実施の形態に係る表示装置の動作を説明するためのフローチャートである。
【図３】本発明の実施の形態に係る表示装置による効果の一例を説明するための図である。
【図４】従来の表示装置の一例を示すブロック図である。
【符号の説明】
１０  表示装置
１１  表示部
１２  制御部
１３  無線送受信部
１３Ａ  アンテナ
１４  メモリ部
１５  データバス
２０  パーソナルコンピュータ
３０  送受信ユニット
３０Ａ  アンテナ
【図１】
2004246285.tif 000003
【図２】
2004246285.tif 000004
【図３】
2004246285.tif 000005
【図４】
2004246285.tif 000006